(57)【要約】【課題】レンズユニットを内装する筐体において、防水・薄型でありながら、内圧の変化に耐え得るとともに、耐衝撃を確保した実装構造を提供する。【解決手段】筐体３・４に内装されるレンズユニット８と、筐体に形成した通気孔３１に対し内側面に貼り付けられる多孔性膜１１と、レンズユニット８と多孔性膜１１との間に介装される弾性部材９と、を備える。さらに、筐体３・４とレンズユニット８の間に介装される緩衝材１０を備え、弾性部材９は、多孔性膜１１と緩衝材１０の一部との間に介装されるレンズホルダである。また、弾性部材９は、筐体３の通気孔３１と対応する位置に通気孔９１を有する【選択図】図３
2011095283.tif 000002
【特許請求の範囲】
【請求項１】
筐体に内装されるレンズユニットと、
前記筐体に形成した通気孔に対し内側面に貼り付けられる多孔性膜と、
前記レンズユニットと多孔性膜との間に介装される弾性部材と、を備えることを特徴とする筐体の実装構造。
【請求項２】
前記筐体とレンズユニットの間に介装される緩衝材を備え、
前記弾性部材は、前記多孔性膜と緩衝材の一部との間に介装されるレンズホルダであることを特徴とする請求項１に記載の筐体の実装構造。
【請求項３】
前記弾性部材は、前記筐体の通気孔と対応する位置に通気孔を有することを特徴とする請求項１または２に記載の筐体の実装構造。
【請求項４】
前記弾性部材には、前記筐体内の発熱により膨張する空気を前記通気孔に導くための通気溝が形成されていることを特徴とする請求項３に記載の筐体の実装構造。
【請求項５】
請求項１から４のいずれか一項に記載の実装構造による筐体を備えることを特徴とする電子機器。
【発明の詳細な説明】
【技術分野】
【０００１】
本発明は、レンズユニットを内装する筐体の実装構造と、その実装構造による筐体を有する電子機器に関する。
【背景技術】
【０００２】
筐体にレンズユニットを内装した防水カメラが特許文献１に開示される。
【先行技術文献】
【特許文献】
【０００３】
【特許文献１】特開２００４−１５７２４０号公報
【発明の概要】
【発明が解決しようとする課題】
【０００４】
特許文献１のように防水機能を有する筐体の電子機器の場合、気密性の確保が重視される。しかしながらその一方では、電子機器を長時間使用することによる電子回路の発熱による筐体内の空気膨張については一切考慮されていないため、空気膨張による筐体の変形や破損を招くといった問題が予想される。
【０００５】
本発明の課題は、防水でありながら、長時間の仕様による発熱も伴う内圧の変化に耐え得るとともに、耐衝撃をも確保した実装構造を提供することである。
【課題を解決するための手段】
【０００６】
以上の課題を解決するため、請求項１に記載の発明は、筐体に内装されるレンズユニットと、前記筐体に形成した通気孔に対し内側面に貼り付けられる多孔性膜と、前記レンズユニットと多孔性膜との間に介装される弾性部材と、を備える筐体の実装構造を特徴とする。
【０００７】
請求項２に記載の発明は、請求項１に記載の筐体の実装構造であって、前記筐体とレンズユニットの間に介装される緩衝材を備え、前記弾性部材は、前記多孔性膜と緩衝材の一部との間に介装されるレンズホルダであることを特徴とする。
【０００８】
請求項３に記載の発明は、請求項１または２に記載の筐体の実装構造であって、前記弾性部材は、前記筐体の通気孔と対応する位置に通気孔を有することを特徴とする。
【０００９】
請求項４に記載の発明は、請求項３に記載の筐体の実装構造であって、前記弾性部材には、前記筐体内の発熱により膨張する空気を前記通気孔に導くための通気溝が形成されていることを特徴とする。
【００１０】
請求項５に記載の発明は、請求項１から４のいずれか一項に記載の実装構造による筐体を備える電子機器を特徴とする。
【発明の効果】
【００１１】
本発明によれば、レンズユニットを内装する筐体を防水・薄型としながら、内圧の変化に耐え得るとともに、耐衝撃を確保できる。
【図面の簡単な説明】
【００１２】
【図１】本発明を適用した電子機器の一実施形態の構成を示すもので、防水カメラの外装パネル等が装着された状態を示した斜視図である。
【図２】図１の外装パネル等を外した状態の筐体を示した図である。
【図３】図２の筐体の構成部品及び内装部品等を示した分解図である。
【図４】図２の筐体の拡大正面図である。
【図５】図４の矢印Ａ‐Ａに沿った断面図である。
【図６】図５の矢印Ｂ部の拡大図である。
【図７】図３のレンズユニット、メイン基板及びレンズホルダの組付け状態を示した正面図である。
【図８】図７の矢印Ａ‐Ａに沿った拡大断面図である。
【図９】図３のレンズホルダを裏面側から見た図である。
【図１０】図３のレンズホルダの正面図（ａ）、側面図（ｂ）及び背面図（ｃ）である。
【発明を実施するための形態】
【００１３】
以下、図を参照して本発明を実施するための形態を詳細に説明する。
（実施形態）
図１及び図２は本発明を適用した電子機器の一実施形態の構成として防水カメラを示したもので、１はフロントパネル、２はリアパネル、３はフロントケース、４はリアケースである。
【００１４】
実施形態において、防水カメラは、図１に示される外装用のフロントパネル１及びリアパネル２等を取り外すと、図２に示される樹脂製のフロントケース３及びリアケース４等による防水筐体が露出する。
【００１５】
図３は筐体の構成部品及び内装部品等を分解して示したもので、５はメタルフレーム、６はＬＣＤユニット、７はディスプレイプレート、８はレンズユニット、９はレンズホルダ（弾性部材）、１１は多孔性膜である。
【００１６】
すなわち、メタルフレーム５及びＬＣＤ（Liquid Crystal Display：液晶ディスプレイ）ユニット６は、リアケース４の内部に組み込まれ、アクリル製のディスプレイプレート７は、リアケース４の外面に貼り付けられ、レンズユニット８は、メタルフレーム５とフロントケース３との間に収納される。そして、レンズユニット８とフロントケース３との間に弾性部材（エラストマー）製のレンズホルダ９及び多孔性膜１１が設けられる。
【００１７】
図４はフロントケース３を拡大して正面から示したもので、図５はその矢印Ａ‐Ａに沿った断面を示し、図６はその矢印Ｂ部を拡大して示しており、１０はゲル状の素材からなる緩衝材である。
【００１８】
図示のように、レンズユニット８は、撮影用のレンズ群をケース内に組み込んだもので、落下等による外部からの衝撃に対する緩衝性を上げるため、レンズユニット８の前面部とフロントケース３との間に上下の緩衝材１０が介装されるとともに、レンズユニット８の後面部とメタルフレーム５との間にも上下の緩衝材１０が介装されている。この緩衝材１０は、レンズユニット８の前面部及び後面部にそれぞれ貼り付けられている。
【００１９】
そして、レンズユニット８の前面部に貼り付けた上下の緩衝材１０とフロントケース３との間には、レンズユニット８のがたつきを防止するため、エラストマー製の弾性部材によるレンズホルダ９が介装されている。このレンズホルダ９は、フロントケース３に形成した内部圧力調整用の通気孔３１に対応する通気孔９１を有している。
【００２０】
図７はレンズユニット８及びレンズホルダ９の組付け状態を示したもので、図８はその矢印Ａ‐Ａに沿った断面を拡大して示しており、１２は防水両面テープ、１３はメイン基板である。
【００２１】
図示のように、フロントケース３の通気孔３１を囲む内面に、多孔性膜１１が防水両面テープ１２で貼り付けられている。この多孔性膜１１の後面に、レンズホルダ９の通気孔９１を囲む前面が当接している。また、レンズホルダ９の後面には、レンズユニット８の横に配置されるメイン基板１３に実装した各種電子部品からの発熱により膨張する空気を通気孔９１に導くための通気溝９２が形成されている。
【００２２】
図９はレンズホルダ９を裏面側から見た斜視図で、図１０はそのレンズホルダ９の正面図（ａ）、側面図（ｂ）及び背面図（ｃ）であり、９３はフロントケース位置決め用穴、９４はレンズユニット位置決め用ピンである。
【００２３】
図示のように、レンズホルダ９には、通気孔９１を挟んで対角線上に位置する一対のフロントケース位置決め用穴９３と、このフロントケース位置決め用穴９３と位相を異ならせて対角線上に位置して後面に突出する一対のレンズユニット位置決め用ピン９４とが形成されている。すなわち、フロントケース位置決め用穴９３には、フロントケース３の内側面に形成した位置決め用ピンが挿入され、レンズユニット位置決め用ピン９４は、レンズユニット８の前面に形成した位置決め用穴に挿入される。
【００２４】
以上、実施形態の実装構造による防水カメラによれば、図３、図５及び図６に示すように、フロントケース３の内部圧力調整用の通気孔３１を囲む内面に防水両面テープ１２で貼り付けられた多孔性膜１１は、内側に実装されているエラストマー製のレンズホルダ９及び緩衝材１０を介してレンズユニット８により支えられている。
そして、レンズユニット８の背面にも緩衝材１０を介して、強固なメタルフレーム５とリアケース４が支える構造となっている。
【００２５】
従って、レンズユニット８を内装する筐体を防水・薄型としながら、内圧の変化に耐え得るとともに、耐衝撃を確保できるものとなる。
【００２６】
また、レンズホルダ９に、多孔性膜１１へ空気を導く通気孔９１及び通気溝９２を形成したことで、図７及び図８に示すように、レンズユニット８の横に配置されるメイン基板１３に実装した各種電子部品からの発熱により温度上昇して膨張する空気を優先的に排出することができる。
【００２７】
（変形例）
以上の実施形態においては、カメラとしたが、本発明はこれに限定されるものではなく、カメラを備える携帯電話などの機器であってもよい。
また、筐体、レンズユニット、多孔性膜、弾性部材、通気孔、及び通気溝の形状等も任意であり、その他、具体的な細部構造等についても適宜に変更可能であることは勿論である。
【符号の説明】
【００２８】
１  外装パネル
２  外装パネル
３  筐体
３１  通気孔
４  筐体
８  レンズユニット
９  レンズホルダ（弾性部材）
９１  通気孔
９２  通気溝
９３  位置決め用穴
９４  位置決め用ピン
１０  緩衝材
１１  多孔性膜
１２  防水両面テープ
１３  基板
【図１】
2011095283.tif 000003
【図２】
2011095283.tif 000004
【図３】
2011095283.tif 000005
【図４】
2011095283.tif 000006
【図５】
2011095283.tif 000007
【図６】
2011095283.tif 000008
【図７】
2011095283.tif 000009
【図８】
2011095283.tif 000010
【図９】
2011095283.tif 000011
【図１０】
2011095283.tif 000012